【手続補正書】
【提出日】平成16年6月30日(2004.6.30)
【手続補正１】
【補正対象書類名】明細書
【補正対象項目名】特許請求の範囲
【補正方法】変更
【補正の内容】
【特許請求の範囲】
【請求項１】
チェック紙に記録された磁気インク文字を読み取り可能な磁気ヘッドと、
前記チェック紙に印字可能な印字ヘッドと、
前記印字ヘッドを搭載し所定の方向に往復動可能なキャリッジと、
前記チェック紙を搬送するための紙経路であって、前記磁気ヘッドと前記印字ヘッドとを結ぶ第１の紙経路を形成する第１の紙ガイド部材と、
前記チェック紙を挟持して搬送する紙送りローラ及び従動ローラと、
前記第１の紙経路から分岐し前記紙送りローラの周囲を含んだ第２の紙経路を形成する第２の紙ガイド部材と、
前記第１の紙経路と前記第２の紙経路とが交叉する部分において第１の紙経路を開く第１の位置と第２の紙経路を開く第２の位置とに選択的に移動可能に設けられた切換部材と、
前記切換部材を前記第１の位置に付勢する付勢手段と、
前記切換部材と係合し、前記切換部材を前記第１の位置から前記第２の位置に移動させるように構成されたカム部材とを備えたことを特徴とするプリンタ。
【請求項２】
前記切換部材は、前記チェック紙を、前記第１の紙経路から前記第２の紙経路に導入するための第１の導入部と、前記第１の導入部から前記第２の紙ガイド部材に導入するための第２の導入部とを有し、前記第１の導入部と前記第２の導入部との間に設けられた支点を軸に揺動可能に構成され、前記第１の位置にあるとき、前記第１の導入部は前記第１の紙経路から退避し、前記第２の導入部は前記第２のガイド部材から離間し、前記第２の位置にあるとき、前記第１の導入部は前記第１の紙経路に突出し、前記第２の導入部は前記第２のガイド部材に接近するように構成されていることを特徴とする請求項１記載のプリンタ。
【請求項３】
前記カム部材は、前記切換部材を前記第１の位置から前記第２の位置に徐々に接近させる軌跡をもつ角度で傾いた傾斜カム部を有することを特徴とする請求項１又は２のいずれか１項記載のプリンタ。
【請求項４】
前記カム部材は、前記切換部材の支軸の軸線方向に移動可能であって、当該移動に応じて前記傾斜カム部が前記切換部材と当接するように構成されていることを特徴とする請求項３記載のプリンタ。
【請求項５】
前記カム部材の移動は、前記キャリッジの移動と連動可能に構成されていることを特徴とする請求項４記載のプリンタ。
【請求項６】
前記切換部材の支軸の軸線方向に移動可能であって、第１の方向に移動する前記キャリッジと係合可能な第１の係合部と、第２の方向に移動する前記キャリッジと係合可能な第２の係合部とを有するスライド部材を備え、
前記カム部材は、当該スライド部材に固定されることにより前記スライド部材と連動するように構成されていることを特徴とする請求項５記載のプリンタ。
【請求項７】
ホスト装置からの情報に基づいて、前記切換部材を前記第１の位置又は前記第２の位置のいずれかへ位置させるための制御部を備えたことを特徴とする請求項１乃至６のいずれか１項記載のプリンタ。
【請求項８】
前記制御部は、前記キャリッジの位置を制御することによって、前記切換部材の位置を選択することを特徴とする請求項７記載のプリンタ。
【請求項９】
第１紙経路に沿って配置され、記録紙に印字を行う印字ヘッドと、
前記記録紙を前記印字ヘッドに向かう第１方向及び前記第１方向と反対の第２方向に搬送可能な搬送ローラ対であって、第１ローラ及び第２ローラを備えるものと、
前記第１ローラの外周に沿って弧状に形成され、前記第１ローラに対して前記第２方向の側で前記第１紙経路から分岐するとともに、前記第１ローラに対して前記第１方向の側で前記第１紙経路に合流する第２紙経路と、
前記分岐位置に配置され、前記第２方向に搬送される前記記録紙の経路を前記第１紙経路又は前記第２紙経路の何れかに切り換えるための経路切換部材であって、前記第１紙経路を選択する第１位置と、前記第２紙経路を選択する第２位置とに変移可能なものとを有することを特徴とするプリンタ。
【請求項１０】
請求項９に記載のプリンタにおいて、
前記経路切換部材を前記第１位置に付勢する付勢部材と、
前記経路切換部材が前記第２位置にあるときに、前記経路切換部材を支持する支持部材とを有することを特徴とするプリンタ。
【請求項１１】
請求項１０に記載のプリンタにおいて、
前記印字ヘッドを搭載し、前記第１方向及び前記第２方向に略直交する方向に往復移動可能なキャリッジと、
前記キャリッジの所定位置への移動に応じて、前記切換部材を前記第２位置に変位せしめる切換カムを有することを特徴とするプリンタ。
【請求項１２】
請求項１０に記載のプリンタにおいて、
前記印字ヘッドを搭載し、前記第１方向及び前記第２方向に略直交する方向に往復移動可能なキャリッジと、
前記キャリッジの非印字領域への移動に追従し、複数のカムポジションに選択的に移動保持される切換カムであって、前記キャリッジが一方の非印字領域に設定される第１切換位置まで移動したとき、その移動に追従して前記経路切換部材を前記第１位置に変位させる一方、前記キャリッジが他方の非印字領域に設定される第２切換位置まで移動したとき、その移動に追従して前記経路切換部材を前記第２位置に変位させるものとを有することを特徴とするプリンタ。
【請求項１３】
請求項１２に記載のプリンタにおいて、
前記切換カムはカム片を有し、前記経路切換部材は、前記カム片が前記経路切換部材の係合部と当接することによって変位されることを特徴とするプリンタ。
【請求項１４】
請求項９〜１３の何れかに記載のプリンタにおいて、
前記第１紙経路に沿って前記第１方向に搬送された前記記録紙の後端部が前記分岐位置を越えて位置する場合に、前記経路切換部材を前記第１位置又は前記第２位置の一方に変位せしめ、前記搬送ローラ対を駆動して前記記録紙を前記第２方向に搬送させる切換制御部を有することを特徴とするプリンタ。
【請求項１５】
請求項９〜１４の何れかに記載のプリンタにおいて、
前記第２紙経路の少なくとも一部を形成するガイド部材であって、前記第１紙経路と略平行な方向に前記記録紙を案内する開位置と、前記合流位置に前記記録紙を案内する閉位置との間で変位可能なものを有することを特徴とするプリンタ。
【請求項１６】
請求項１５に記載のプリンタにおいて、
前記ガイド部材を前記開位置に付勢する付勢部材を有することを特徴とするプリンタ。
【請求項１７】
請求項１５又は１６に記載のプリンタにおいて、
前記印字ヘッドを搭載し、前記第１方向及び前記第２方向に略直交する方向に往復移動可能なキャリッジと、
回動可能に支持され、前記キャリッジと係合可能な第１係合部と、前記ガイド部材と係合可能な第２係合部とを有するガイド作動部材とを有し、
前記ガイド作動部材は、前記キャリッジの所定位置への移動に応じて、前記第１係合部が前記キャリッジに係合して回動することにより、前記第２係合部が前記ガイド部材と係合し、前記付勢部材の付勢力に抗して前記ガイド部材を変位させることを特徴とするプリンタ。
【請求項１８】
請求項１５〜１７の何れかに記載のプリンタにおいて、
前記開位置にある前記ガイド部材に沿って前記第２方向に搬送される前記記録紙の進行方向側の端部が、前記ガイド部材の前記合流側の端部を越えた後に、前記ガイド部材を前記閉位置に変位させるガイド制御部を有することを特徴とするプリンタ。
【請求項１９】
請求項１８に記載のプリンタにおいて、
前記ガイド制御部は、前記第２紙経路内に搬送され前記進行方向側の端部が前記合流位置を越えて位置する前記記録紙を前記第１方向へ搬送する場合に、前記ガイド部材を前記開位置に変位させることを特徴とするプリンタ。
【請求項２０】
請求項１５〜１９の何れかに記載のプリンタにおいて、
前記第１紙経路に進退可能に設けられた位置決めストッパを有し、前記位置決めストッパは、前記閉位置に位置する前記反転ガイド部材と共に前記第２紙経路を形成することを特徴とするプリンタ。
【請求項２１】
請求項９〜２０の何れかに記載のプリンタにおいて、
前記第１紙経路に沿って前記印字ヘッド上を搬送される前記記録紙の第１面に印字を行わせ、前記第２紙経路を経由して前記印字ヘッド上を搬送される前記記録紙の第２面に印字を行わせる印字制御部を有することを特徴とするプリンタ。
【請求項２２】
請求項９〜２１の何れかに記載のプリンタにおいて、
前記印字ヘッドと前記第１ローラとは、前記第１紙経路に対して同一側に位置することを特徴とするプリンタ。